【事件の表示】
　特許第２９３４３９５号「パチンコ機」の請求項１ないし３に係る特許に対する特許異議の申立てについて、次のとおり決定する。
【結　論】
　特許第２９３４３９５号の請求項１ないし３に係る特許を維持する。
【理　由】
１．本件発明
　特許第２９３４３９５号（平成７年４月１３日出願、平成１１年５月２８日設定登録。）の請求項１ないし３に係る発明（以下、そのそれぞれを「本件発明１」、「本件発明２」、「本件発明３」という）は、その特許請求の範囲の請求項１ないし３に記載された事項により特定される、つぎのとおりのものである。　
「【請求項１】
　予め定められた図柄を変動表示する図柄表示装置を有し、該図柄表示装置に表示された１つの図柄ラインに予め定められた図柄が並ぶことにより当たりとして遊技者に利益ある遊技状態を提供するパチンコ機であって、
　前記当たりとして、第１の利益ある状態が提供される第１の当たりと、第２の利益ある状態が提供される第２の当たりとを設け、
　前記図柄表示装置に、複数の図柄ラインを設けることにより第１の当たりに対応する図柄と第２の当たりに対応する図柄とを同時に表示できるようにし、
　前記第１の当たりを発生させる際に、第１の当たり図柄と第２の当たり図柄とを前記図柄表示装置に同時に表示した後に、第１の当たり図柄の表示されている図柄ラインを特定するようにしたことを特徴とするパチンコ機。
　【請求項２】
　予め定められた図柄を変動表示する図柄表示部を持つ図柄表示装置と、
　前記図柄表示部の図柄を変動表示させるとともに、複数の異なる当たり図柄を複数の図柄ラインに同時表示させ得る図柄制御手段と、
　図柄表示部に表示された当たり図柄の内容に基づいて所定の遊戯状態を発生させる遊技制御手段と、を備えたパチンコ機において、
　複数の図柄ラインに同時表示された複数の異なる当たり図柄の内の１つを特定させる有効ライン特定手段を有し、
　前記遊技制御手段が、前記有効ライン特定手段により特定された当たり図柄内容に基づいて遊技制御を行うようにしたことを特徴とするパチンコ機。
　【請求項３】
　高確率状態と低確率状態とを切り換えて当たりを決定するパチンコ機であって、
　図柄ラインに並べられた図柄を変動表示する図柄表示装置であって、複数の図柄ラインが設けられ、複数の図柄ラインに高確率状態へ移行する当たり（以下第１の当たりという）に対応する図柄と、高確率状態へ移行しない当たり（以下第２の当たりという）に対応する図柄とを同時に表示し得る図柄表示装置と、
　前記図柄表示装置の複数の図柄ラインのいずれが有効かを表示する有効ライン特定手段と、
　前記図柄表示装置の図柄を変動表示させる図柄制御手段と、を有し、
　第１の当たりが発生した際に、前記有効ライン特定手段が、前記図柄表示装置に同時に表示されている前記第１の当たりに対応する図柄と第２の当たりに対応する図柄の内の、第１の当たり図柄の表示されている図柄ラインが有効であることを表示し、
　第２の当たりが発生し、前記図柄表示装置に前記第１の当たりに対応する図柄と第２の当たりに対応する図柄とが同時に表示された際に、前記有効ライン特定手段が、該第２の当たり図柄の表示されている図柄ラインが有効であることを表示すること特徴とするパチンコ機。 」
２．申立の理由の概要
　申立人町田彬は、本件発明１ないし３は、いずれも甲第１号証（特開平３−２６１４９３号公報）、甲第２号証（特開昭６２−２５４７８７号公報）及び甲第３号証（特開平５−２００１５０号公報）に記載された発明に基づいて当業者が容易に発明をすることができたものであるから、特許法第２９条第２項に規定された発明に該当し、特許法第１１３条第２号の規定により取り消すべきと主張している。
３．甲第１号証ないし第３号証記載の発明
　甲第１号証には、
　「表示態様が変化可能な可変表示部を複数有する可変表示装置と、前記複数の可変表示部のうち有効となる可変表示部を特定する有効表示部特定手段と該有効表示部特定手段によって特定された可変表示部が予め定めた表示結果となったことに基づいて遊技者に所定の遊技価値を付与する遊技価値付与手段と、を備えた可変表示装置付遊技機。」（第１頁左欄第５行〜第１２行）、
　「可変表示部の表示結果が遊技者に所定の遊技価値を付与する態様となったときでも、その可変表示部が有効な可変表示部として特定されない場合には、遊技者に所定の遊技価値を付与することはない。つまり、可変表示部自体が可変表示されることと、有効とされる可変表示部が特定されることとが組み合わさるので、遊技者に所定の遊技価値を付与する可能性が可変表示部の可変表示動作以外の要素によっても決定され、遊技の興趣をより盛り上げることができる。また、可変表示装置に設けられる複数の可変表示部のうち有効となる可変表示部自体が特定されるので、有効な可変表示部を遊技者は、即座に見分けることができる。」（第２頁左上欄第１５行〜右上欄第７行）、
　「ところで、上記した２つのグループは、打玉が前記始動入賞口２０ａ〜２０ｃに入賞して７セグメントＬＥＤ−Ａ〜Ｆを可変表示する毎にいずれか一方のグループが特定され、その特定されたグループの７セグメントＬＥＤ−Ａ〜Ｃ又はＤ〜Ｆの可変表示停止後の表示態様が前記したように同一の特定識別情報の組合せ（具体的には、奇数のゾロ目）となったときに、大当り状態と判定されるものである。しかして、上記したグループを特定するための機構として、この実施例においては、有効表示特定部材４４が設けられている。有効表示特定部材４４は、第１図に示すように、複数の７セグメントＬＥＤのうち１つのグループに属する７セグメントＬＥＤ−Ａ〜Ｃ又はＤ〜Ｆの個々の７セグメントＬＥＤが囲まれるような大きさの開口部が形成されたリング状の有効表示特定部４５が複数個（３つ）放射状に形成されたもので、前記透明体３６の前方に位置するようになっている。したがって、有効表示特定部４５によって囲まれた７セグメントＬＥＤと囲まれない７セグメントＬＥＤとでは、遊技者にとって容易に区別できるものであり、この実施例の場合有効表示特定部４５に囲まれた７セグメントＬＥＤが特定されたものとされ、組合せの際に有効な可変表示部であると認定される。」（第４頁右上欄第２行〜左下欄第６行）、
　「７セグメントＬＥＤ−Ａの可変表示が停止する。以下、微小時間づつ遅れて７セグメントＬＥＤ−Ｄの可変表示が停止し、７セグメントＬＥＤ−Ｂの可変表示が停止し、７セグメントＬＥＤ−Ｅの可変表示が停止し、有効表示特定部材４４の回転が停止する。」（第５頁左上欄第３行〜第９行）、
　「また、大当り状態に有効なグループが特定された場合には、特定されたグループに属する７セグメントＬＥＤと特定されないグループに属する７セグメントＬＥＤとのＬＥＤによる発光色又は輝度を異ならせるようにしてもよい。」（第５頁左下欄第１０行〜第１４行）、
　「以上、実施例に係るパチンコ遊技機１について説明してきたが、この実施例によれば、可変表示装置３０に設けられる複数の可変表示部としての複数の７セグメントＬＥＤ−Ａ〜Ｆのうち有効となる７セグメントＬＥＤ自体が有効表示特定部材４４によって明確に特定されるので、有効な７セグメントＬＥＤを遊技者は、即座に見分けることができる。また、有効となる７セグメントＬＥＤが可変表示毎に常に変更されていると共に所定の停止条件が成立したときにその変更が停止されるので、仮に７セグメントＬＥＤの組合せ表示結果が大当たり状態となったときでも、その７セグメントＬＥＤの組合せが有効な７セグメントＬＥＤの組合せとして特定されない場合には、遊技者に大当り状態を提供することはない。つまり、可変表示部としての７セグメントＬＥＤ−Ａ〜Ｆの可変表示による特定識別情報の表示可能性と、有効表示特定部材４４による有効な可変表示部の特定の可能性とが組み合わさって遊技者に所定の遊技価値を付与するものであるため、７セグメントＬＥＤ−Ａ〜Ｆ以外の要因によっても遊技者に所定の遊技価値を付与することになり、より遊技の興趣を盛り上げることができるものである。」（第６頁右下欄第７行〜第７頁右上欄第９行）、
　「更に、可変表示装置９０として、第６図に示すような構成のものでもよい。ここで、可変表示装置９０の構成について説明すると、可変表示装置９０は、遊技盤１０の表面に取り付けられる取付基板９１を有し、その取付基板９１の中央に形成された正方形状の開口に可変表示部としての複数（３つ）の回転ドラム９２ａ〜９２ｃが臨んでいる。それぞれの回転ドラム９２ａ〜９２ｃの外周面には、複数の識別情報（図柄）が描かれ、その複数の識別情報のうち上下３つの識別情報が視認できるようになっている。このため、回転ドラム９２ａ〜９２ｃが停止した際には、縦３つの横３つの全部で９つの識別情報を表示する表示部が形成されることになる。つまり、可変表示装置９０においては、可変表示部として正確には上記９つの識別情報が表示される表示部を示すことになる。また、取付基板９１の両サイドには、回転ドラム９２ａ〜９２ｃで表示される識別情報の組合せラインのうち有効な組合せラインを特定する有効ライン特定ＬＥＤ９３ａ，９３ｂ、９４ａ，９４ｂ、９５ａ，９５ｂ、９６ａ，９６ｂ、９７ａ，９７ｂが設けられている。具体的には、中央の横ラインを表示するために有効ライン特定ＬＥＤ９３ａ，９３ｂが設けられ、上部の横ラインを表示するために有効ライン特定ＬＥＤ９４ａ，９４ｂが設けられ、下部の横ラインを表示するために有効ライン特定ＬＥＤ９５ａ，９５ｂが設けられ、左上部から右下がりのラインを表示するために有効ライン特定ＬＥＤ９６ａ，９６ｂが設けられ、左下部から右上がりのラインを表示するために有効ライン特定ＬＥＤ９７ａ，９７ｂが設けられている。」（第７頁右下欄第５行〜第８頁左上欄第１６行）、
　「回転ドラム９２ａ〜９２ｃの回転動作及び有効ライン特定ＬＥＤ９３ａ〜９７ｂの点灯移動が開始した後、一定時間が経過したときに、まず左右の回転ドラム９２ａ，９２ｃが回転を停止し、次いで有効ラインＬＥＤ９３ａ〜９７ｂの点灯移動が停止して有効となる組合せラインを特定し、その後、中央の回転ドラム９２ｂの回転が停止する。しかして、有効ライン特定ＬＥＤ９３ａ〜９７ｂによって特定された組合せライン上に表示される識別情報の組合せが特定識別情報（例えば、「７」）の組合せであるときには、大当り状態と識別されて遊技者に所定の遊技価値が付与される。」（第８頁右上欄第１１行〜左下欄第３行）、
　「有効となる可変表示部の変更は、上記実施例のように可変表示部の可変表示毎にランダムに行うばかりでなく、所定の順序で可変表示毎に変更するようにしてもよいし、あるいは、ある条件が成立したときに変更できるようにしてもよい。例えば、打玉が遊技盤上の特定の通過領域を通過したこと、遊技者による所定の操作が行われたこと、あるいはタイマーによる所定時間が経過したこと、等に基づいて変更を行ってもよい。」（第９頁左上欄第８行〜第１６行）、
　「上記した実施例では、有効となる可変表示部が変更されても、遊技価値付与手段によって付与される価値が同一であるものを示したが、付与される価値が異なるものであってもよい。」（第９頁左上欄第１７行〜第２０行）、
　「遊技機として、上記実施例では、パチンコ遊技機を例示したが、スロトルマシーン、アレンジ式弾球遊技機、カード式弾球遊技機、コイン投入式弾球遊技機、貨幣投入式遊技機等であってもよい。」（第９頁右上欄第１行〜第５行）が、それぞれ開示されている。
　甲第２号証には、
  「メダルの投入を検出するメダル検出手段（Ｓ５）、このメダル投入検出手段（Ｓ５）の情報に基づいて、複数種類の絵柄のうちの所要数を選択して複数列、複数行に整列表示する絵柄表示手段（１００）、この絵柄表示手段（１００）にて表示された絵柄の複数種類の入賞配列ラインを設定可能な入賞配列ライン設定手段（１０１）、この入賞配列ライン設定手段（１０１）にて設定された入賞配列ライン上に特定の絵柄配列が成立したことを判別する入賞判別手段（１０２）を備えたスロットマシンであって、前記入賞配列ライン設定手段（１０１）を、前記メダル投入検出手段（Ｓ５）の情報に基づいて、複数種類の入賞配列ラインをある確立分布をもって選択表示すべく構成してあるスロットマシン。…前記入賞配列ライン設定手段（１０１）が前記絵柄表示手段（１００）による絵柄表示よりも先に入賞配列ラインを表示すべく構成されている…前記入賞配列ライン設定手段（１０１）が前記絵柄表示手段（１００）による絵柄表示時期と無関係に入賞配列ラインを表示可能に構成されている…前記入賞配列ライン設定手段（１０１）が前記絵柄表示手段（１００）による絵柄表示後に入賞配列ラインを表示すべく構成されている」（第１頁左欄第５行〜右欄第１３行）、
　「前記第４リール（Ｒ４）の外周面に付記される入賞配列ライン（Ｌ）は、第５図に示すように、上段ライン、中央ライン、下段ライン、右上がり斜めライン、右下がり斜めラインの一つ又はそれらの組み合わせからなる矢印で表示し、全てのラインが入賞配列ラインとなる場合のみ「ＡＬＬ」と表示してある。」（第３ 頁左下欄第１２行〜第１８行）、
　「そして、全てのリール（Ｒ１）〜（Ｒ４）が停止されたかをチェックし、全てのリール（Ｒ１）〜（Ｒ４）が停止状態にあると、前記各停止位置センサ（Ｓ１）〜（Ｓ４）の通過検出時点からのパルス数のカウント、つまり、ステッピングモータ（Ｍ，）〜（Ｍ４）の駆動回路（１２ａ）〜（１２ｄ）に出力されるパルス数のカウントにより、絵柄表示窓（２）を通して表示される第１から第３のリール（Ｒ，）〜（Ｒ３）の絵柄、及び，ライン表示窓（３）を通して表示される第４リール（Ｒ４）の入賞配列ライン（Ｌ）を演算処理し、この処理により求められた入賞配列ライン（Ｌ）上に位置する絵柄配列と予め記憶されている入賞絵柄配列とを比較し、外れであるか、フルーツ等の通常の入賞であるか、小ボーナス又は大ボーナスの連続役物入賞であるかの判定が行われる（ステップ＃６、ステップ＃７）。」（第４頁右上欄第２０行〜左下欄第１５行）が、それぞれ開示されている。                                            
　甲第３号証には
　「液晶表示器を有する遊技盤面と、この遊技盤面の前記液晶表示器に格子状の窓枠部を形成する窓枠部表示手段と、この窓枠部表示手段により形成された前記窓枠部内にそれぞれ標識を有するリールを表示するリール表示手段と、前記遊技盤面上に設けられた始動口に遊技玉が入賞した時前記窓枠部内の各リールをそれぞれ独自に変動させるリール変動手段と、一定時間経過後に前記複数個のリールを順次停止させるリール停止手段と、このリール停止手段により各リールが停止した際当たりラインに所定の当たり役が出たか否かを判別する当たりライン判別手段と、この当たりライン判別手段により当たりであると判定された場合に遊技盤面に設けられた入賞開閉受板を開放させる入賞駆動手段とを備えるパチンコ遊技機。」（第１欄第２行〜第１５行）、
　「請求項１に於いて、当たりの状態となった時、当たりラインの数あるいは当たりの態様により入賞開閉受板の開閉状態に差を設ける入賞開閉受板制御手段を有していることを特徴とするパチンコ遊技機。」（第１欄第２９行〜第３２行）、　「ところで、各リール１５は数字の「７」、リンゴ、バナナ等の果物、星印、鐘など色々な図柄あるいは標識を有しているが、本実例では当たり図柄をラッキーセブンの「７」の文字をデザインした図柄とし、またリンゴ、バナナ等一般に果物と認識される図柄を準当たり図柄とし、その余の図柄をはずれの図柄と設定している。そして、当たりラインＬＩ〜Ｌ８のいずれかに「７」の図柄が出た場合はもちろんであるが、９個の窓枠部１２に「オールセブン」または「オール果物」の図柄が出た時も当たりとみなしている。
　次に２４は第１の中央処理装置６に接続し、当たりライン判別手段２１により当たりであると判定された場合に入賞開閉受板５を開放させる入賞駆動手段である。
　しかして、この入賞駆動手段２４は、当たりの状態となった時当たりラインＬ１〜Ｌ８の数あるいはオールセブン．オール果物など当たりの態様により，入賞開閉受板制御手段２５で、開閉時間あるいは開閉角度が制御される。」（第４欄第１８行〜第３６行）、
　「本実施例では図７示すように当たりラインＬ７に沿って揃った各リール１５に一本の線Ｌを表示する。なお、この表示の他、たとえば当たった各リールの色を変えたり、あるいは当たった各リールを点滅させたりしても良い。」（第５欄第１０行〜第１４行）、
　「そして、各リール１５が停止した時、図７で示すように当たりラインＬ２に所定の当たり役ができると、当たり状態表示手段２９により各リールに一本の線Ｌが現れる。
　上記の様に当たりラインに当たり役が揃うと、入賞駆動手段２４により入賞開閉受板５が開放する。本実施例では当たりラインの数および、オール果物、オールセブン等の当たりの態様により、入賞開閉受板５の開閉時間が相違する。」（第５欄第３５行〜第４３行）が、それぞれ記載されている。
４．対比・判断
　本件発明１ないし３と、甲第１号証ないし第３号証記載の発明とを対比すると、後者のものは、そのいずれも、本件発明１ないし３に共通した、
　「複数の異なる当たり図柄を図柄表示部に同時に表示させ、該複数の異なる当たり図柄の内の一つを特定する有効ライン（図柄ライン）」なる構成を有するものではなく、該構成を示唆する記載もない。
　そして、本件発明は該構成を具備することによって、「遊技者は、当たりの種別が確定するまで興味を失わず遊技を堪能することができる」という、明細書記載の顕著な効果を奏しており、本件発明１ないし３が甲第１号証ないし第３号証記載の発明に基づいて、当業者が容易に発明できたものでないことは明らかである。
５．
　以上のとおりであるから、特許異議申立の理由及び証拠によっては本件発明１ないし３についての特許を取り消すことはできない。
　また、他に本件発明１ないし３についての特許を取り消すべき理由を発見しない。
　よって、結論のとおり決定する。
【異議決定日】
平成１２年５月２６日（２０００．５．２６）